(57)【要約】  【課題】  水冷式パソコンなどの省スペースを要求されるところで用いられる冷却システムを構成する冷媒パイプを接続するための管継手に適した継手部材・パイプ固定用スリーブを提供する。【解決手段】管継手を構成する雄型や雌型の筒状の継手部材Ｃの内周面と、該継手部材に挿入されたパイプＰの外周面との間に形成される環状空間Ｓに圧入されて当該継手部材とパイプとを固定する筒状の継手部材・パイプ固定用スリーブ１０であって、パイプと同心円状にされた外周面１２、及び、内周面１４を有し、環状空間内に圧入される圧入部分１６と、当該継手部材・パイプ固定用スリーブの後端側にあって、圧入部分が環状空間内に圧入されたときに同環状空間の外側に位置し、同圧入をするための工具を係合させる大径の環状係合部１８とを有することを特徴とする。 【選択図】  図２
2005090668.tif 000002
【特許請求の範囲】
【請求項１】
管継手を構成する雄型や雌型の筒状の継手部材の内周面と、該継手部材に挿入されたパイプの外周面との間に形成される環状空間に圧入されて当該継手部材とパイプとを固定する筒状の継手部材・パイプ固定用スリーブであって、
上記パイプと同心円状にされた外周面、及び、内周面を有し、上記環状空間内に圧入される圧入部分と、
当該継手部材・パイプ固定用スリーブの後端側にあって、上記圧入部分が上記環状空間内に圧入されたときに同環状空間の外側に位置し、同圧入をするための工具を係合させるための大径の環状係合部と
を有し、
上記外周面及び内周面が、工具を上記環状係合部に係合して上記圧入部分を上記環状空間内に圧入した後、同工具を環状係合部から外しても、上記圧入部分の圧入状態を維持するのに充分な長さとされていることを特徴とする継手部材・パイプ固定用スリーブ。
【請求項２】
上記外周面に設けられた、継手部材の内周面よりも大径の外側環状係合凸部を有することを特徴とする請求項１に記載の継手部材・パイプ固定用スリーブ。
【請求項３】
上記外側環状係合凸部が、当該継手部材・パイプ固定用スリーブの圧入方向を基準として前方の小径部分と、後方の大径部分と、小径部分から大径部分に次第に傾斜する傾斜部分とを有し、小径部分は上記筒状継手部材の内周面よりも小径とされ、上記大径部分は同内周面よりも大径とされていることを特徴とする請求項２に記載の継手部材・パイプ固定用スリーブ。
【請求項４】
当該継手部材・パイプ固定用スリーブの先端部分の半径方向肉厚を、同先端部分に続く後方部分よりも薄くしたことを特徴とする請求項１乃至３のいずれかに記載の継手部材・パイプ固定用スリーブ。
【請求項５】
当該継手部材・パイプ固定用スリーブの先端部分から後方に向けて次第に径が大きくなるようにしたテーパー部分を有することを特徴とする請求項１乃至４のいずれかに記載の継手部材・パイプ固定用スリーブ。
【請求項６】
当該継手部材・パイプ固定用スリーブの内周面に設けられた内側環状係合凸部であって、該内側環状係合凸部の内径が上記パイプよりも小径とされ、当該継手部材・パイプ固定用スリーブが上記圧入されると、該内側環状係合凸部が弾性変形するようにしたことを特徴とする請求項１乃至５のいずれかに記載の継手部材・パイプ固定用スリーブ。
【請求項７】
当該継手部材・パイプ固定用スリーブの内周面に、その周方向に延びる環状で軸線方向の断面が湾曲した凹部を有することを特徴とする請求項１乃至６のいずれかに記載の継手部材・パイプ固定用スリーブ。
【発明の詳細な説明】
【技術分野】
【０００１】
本発明は、管継手を構成する雄型や雌型の筒状の継手部材にパイプを接続固定するための継手部材・パイプ固定用スリーブに関する。
【背景技術】
【０００２】
従来のノート型パソコンは、ＣＰＵを内蔵した本体部分に設けたファンを回転することにより、同ＣＰＵの冷却を行う空冷式が一般的であったが、ＣＰＵの大容量化にともない、より効率的で音が静かな水冷式のものが市販されるようになってきている。
すなわち、本体部分に設けたＣＰＵに熱的に接続された冷却パイプを液晶モニター部分の裏面に延ばし、ＣＰＵからの熱で加熱された冷媒が該モニター裏面部分を通るときに放熱するようにして冷却を行うようになっている。
【０００３】
この水冷式の冷却系は、複数のパイプが接続されて構成されるものであり、パイプ同士は管継手によって接続される。
従来の管継手における雄型若しくは雌型の継手部材とパイプとの接続は、例えば図１に示すように、継手部材Ｃの後端にナット部材Ｎをネジ係合することにより、押込み部材Ｄを介して、楔状断面を有する固定部材ＦをパイプＰと継手部材Ｃとの間に圧入することにより行うのが一般的である（例えば、特許文献１、特許文献２、特許文献３、特許文献４）。しかし、そのようなナット部材Ｎを用いた接続は、当該管継手の部分のサイズを大きいものにする。
ノート型パソコンでは、その内部に納められる部品はなるべく小型化することが求められているので、そのような固定方法には、改善が求められていた。
【特許文献１】特開昭６０−１５１４９５
【特許文献２】特開昭６０−９１０８６
【特許文献３】米国特許４，０７６，２８６
【特許文献４】米国特許４，０５９，２９７
【発明の開示】
【発明が解決しようとする課題】
【０００４】
本発明は、上記のような点に鑑み、継手部材とパイプとの接続部分をコンパクトにすることを目的とする。
【課題を解決するための手段】
【０００５】
すなわち、本発明は、
管継手を構成する雄型や雌型の筒状の継手部材の内周面と、該継手部材に挿入されたパイプの外周面との間に形成される環状空間に圧入されて当該継手部材とパイプとを固定する筒状の継手部材・パイプ固定用スリーブであって、
上記パイプと同心円状にされた外周面、及び、内周面を有し、上記環状空間内に圧入される圧入部分と、
当該継手部材・パイプ固定用スリーブの後端側にあって、上記環状空間の外側に位置し、上記圧入部分を上記環状空間内に圧入をするための工具を係合させる大径の環状係合部と
を有し、
上記外周面及び内周面が、工具を上記環状係合部に係合して上記圧入部分を上記環状空間内に圧入した後、同工具を環状係合部から外しても、上記圧入部分の該継手部材及びパイプとの係合によって上記圧入状態を維持するのに充分な長さとされていることを特徴とする継手部材・パイプ固定用スリーブを提供する。
この固定用スリーブでは、管継手とパイプとの間の環状空間に圧入される圧入部分が、パイプと同心円状にされた外周面、及び、内周面を有しているので、工具を環状係合部から外しても、上記圧入部分の該継手部材及びパイプとの係合によって上記圧入状態を維持するに充分な長さとすることができる。
前述の従来の管継手では、継手部材とパイプとの間に形成される環状空間に挿入される固定部材Ｆが、その全体の断面が楔状にされたものであるために、環状空間の長さ（深さ）を余り大きくとることができず、従って、該固定用部材Ｆと継手部材及びパイプとの接触面積を充分にとることができず、そのため、当該固定部材Ｆの圧入だけで継手部材とパイプとを連結することはできなかった。事実、従来の管継手においては、ナット部材Ｎを継手部材Ｃから取り外し、パイプＰに手で引抜力を加えると、パイプＰは固定部材Ｆと共に継手部材から簡単に引き抜かれてしまうのが普通であった。
これに対し、本発明では固定用スリーブの圧入だけによる連結を可能とした。
【０００６】
上記外周面には、継手部材の内周面よりも大径の外側環状係合凸部を設けることが出来る。
この外側環状係合凸部は、当該固定用スリーブの圧入を容易にするとともに、その圧入による弾性変形による復元力は、同固定用スリーブのパイプとの結合を確実にする。
【０００７】
外側環状係合凸部は、当該継手部材・パイプ固定用スリーブの圧入方向を基準として前方の小径部分と、後方の大径部分と、小径部分から大径部分に次第に傾斜する傾斜部分とを有し、小径部分は上記筒状継手部材の内周面よりも小径とされ、大径部分は同内周面よりも大径としたものとすることができる。
外側環状係合凸部のこの形状は、当該固定用スリーブの圧入を容易にする。
【０００８】
当該継手部材・パイプ固定用スリーブの先端部分は、その半径方向肉厚を、同先端部分に続く後方部分よりも薄くすることが好ましい。
これは、圧入が行われて先端部分が継手部材の内面に押圧されたときに容易に変形できるようにして、その変形により、上記継手部材とパイプとの間の隙間を充填して密封性を高めることを可能とする。
【０００９】
継手部材・パイプ固定用スリーブの先端部分から後方に向けて次第に径が大きくなるようにしたテーパー部分を有するようにすることもできる。
このようなテーパー部分は、当該固定用スリーブの圧入を容易にし、当該継手部材とパイプとの密封係合をより適切なものとすることができる。
【００１０】
継手部材・パイプ固定用スリーブの内周面に設けられた内側環状係合凸部であって、その内径がパイプよりも小径とされ、当該継手部材・パイプ固定用スリーブが上記圧入されると、該環状係合凸部が弾性変形するようにすることができる。これは外側環状係合凸部と同様に圧入をしやすくし密封性を高めることを目的とするものである。
【００１１】
当該継手部材・パイプ固定用スリーブの内周面に、その周方向に延びる環状で軸線方向断面が湾曲した凹部を設けることが出来る。
これは、当該固定用スリーブが撓んだ状態で圧入されるようにし、圧入が完了した状態で、その復元力が作用し、継手部材とパイプとの連結の強化を図るものである。
【発明を実施するための最良の形態】
【００１２】
以下、本発明に係る継手部材・パイプ固定用スリーブを添付図面に基づき説明する。
図２及び図３は、本発明に係る継手部材・パイプ固定用スリーブの第１の実施形態を示す。
すなわち、この固定用スリーブ１０は、管継手を構成する雄型や雌型の筒状の継手部材Ｃの内周面Ｃ−１と、該継手部材Ｃに挿入されたパイプＰの外周面Ｐ−１との間に形成される環状空間Ｓに圧入されて当該継手部材ＣとパイプＰとを固定するようになっている。
図示のように、該固定用スリーブ１０は、パイプＰと同心円状にされた外周面１２、及び、内周面１４を有し、上記環状空間Ｓ内に圧入される圧入部分１６と、当該固定用スリーブ１０の後端側にあって、環状空間Ｓの外側に位置し、圧入部分１６を環状空間Ｓ内に圧入をするための工具（図示せず）を係合させる大径の環状係合部１８とを有する。上記外周面１２には、継手部材Ｃの内周面Ｃ−１よりも大径の複数の外側環状係合凸部２０が当該圧入部分１６の軸線方向で所定間隔をあけて設けられている。この外側環状係合凸部２０は、当該継手部材・パイプ固定用スリーブの圧入方向を基準として前方の小径部分２２と、後方の大径部分２４と、小径部分から大径部分に次第に傾斜する傾斜部分２６とを有し、小径部分２２は上記筒状継手部材Ｃの内周面Ｃ−１よりも小径とされ、大径部分２４は同内周面Ｃ−１よりも大径としたものとされている。また、当該固定用スリーブの内周面１４にも同様の複数の内側環状凸部３０が設けられており、該環状凸部３０の内径は、パイプＰの外形よりも小さくされている。但し、該内側環状凸部３０の傾斜の向きは、外側環状凸部と逆にされている。
この固定用スリーブ１０では、管継手ＣとパイプＰとの間の環状空間Ｓに圧入される圧入部分１６が、パイプと同心円状にされた外周面１２、及び、内周面１４を有するため、当該圧入部分が環状空間に圧入された状態では、それら外周面１２及び内周面１４とそれに対応する継手部分の内周面Ｃ−１及びパイプの外周面Ｐ−１との摩擦係合が、同固定用スリーブ１０を上記環状空間から引き出そうとする力に対して大きい抵抗力を生じ、従って、継手部材ＣとパイプＰとを確実に固定することが出来る。また、大径の環状係合部１８は、工具を用いて当該固定用スリーブ１０を圧入するのを容易にし、確実な圧入を可能とする。外側環状係合凸部２０は、当該固定用スリーブ１０の圧入を容易にするとともに、その圧入による弾性変形による復元力は、同固定用スリーブのパイプとの結合を確実にする。また、内側環状係合凸部３０も同様に結合を確実にするために設けられたものである。
【００１３】
図示のように、この継手部材・パイプ固定用スリーブ１０の先端部分３４は、その半径方向肉厚が、同先端部分に続く後方部分よりも薄くされている。
これは、圧入が行われて先端部分３４が継手部材Ｃの内面に押圧されたときに容易に変形できるようにして、その変形により、上記継手部材ＣとパイプＰとの間の空間に圧入し食い込ませて隙間を充填して密封性を高めることを可能とする。
【００１４】
図４及び図５は、本発明の他の継手部材・パイプ固定用スリーブ１０−２を示している。すなわち、この固定用スリーブ１０−２では、上述の固定用スリーブ１０と同様に、パイプＰと同心円状にされた外周面１２−２、及び、内周面１４−２を有し、固定用スリーブ１０とパイプＰとの間の環状空間に圧入される圧入部分１６−２と、当該固定用スリーブ１０−２の後端にあって、環状空間Ｓの外側に位置し、圧入部分１６−２を環状空間内に圧入をするための工具（図示せず）を係合させる大径の環状係合部１８−２とを有し、また、外周面１２−２、内周面１４−２には、複数の外側環状凸部２０−２が形成されている。この固定用スリーブ１０−２において特徴とするところは、圧入部分１６−２の先端３４−２から後方に向けて次第に径が大きくなるようにしたテーパー部分３６を備えることである。
このようなテーパー部分３６は、当該固定用スリーブの圧入を容易にし、固定用スリーブ１０とパイプＰとの間の環状空間への圧入の程度を大きくすることを可能とする。尚、この実施形態に係る固定用スリーブ１０−２においては、その内周面１４−２に第１の実施形態における内側環状凸部３０は設けられていない。
【００１５】
図６及び図７は、第３の実施形態に係る固定用スリーブ１０−３を示しており、この固定用スリーブ１０−３は、第２の実施形態に係るもの１０−２とほぼ同様の構成を有しているが、その内周面１４−３に、その周方向に延びる環状で軸線断面が湾曲している凹部４０が形成されている。
この湾曲凹部は、当該固定用スリーブを圧入しやすくすると共に、圧入が完了した状態で、その復元力で、継手部材とパイプとの連結の強化を図るものである。
【００１６】
図８及び図９は、他の実施形態に係る固定用スリーブ１０−４を示している。この固定用スリーブは、図４及び図５に示した実施形態とほぼ同様の構成を有しているが、その外周面１２−４に外側環状凸部がない点で相違している。
この実施形態に係る固定用スリーブ１０−４でも、テーパー構造としたので、継手部材とパイプイとの間の環状空間への圧入を強くすることが出来、充分な密封結合が可能であることが分かった。
【図面の簡単な説明】
【００１７】
【図１】従来の固定用スリーブを用いた管継手の上半部分を断面で示した側面図である。
【図２】本発明に係る固定用スリーブを用いた管継手を、その上半部分を断面で示した側面図である。
【図３】同固定用スリーブを、その上半部分を断面で示した拡大側面図である。
【図４】本発明の第２の実施形態に係る固定用スリーブを用いた管継手を、その上半部分を断面で示した側面図である。
【図５】同固定用スリーブを、その上半部分を断面で示した拡大側面図である。
【図６】本発明の第３の実施形態に係る固定用スリーブを用いた管継手を、その上半部分を断面で示した側面図である。
【図７】同固定用スリーブを、その上半部分を断面で示した拡大側面図である。
【図８】本発明の第４の実施形態に係る固定用スリーブを用いた管継手を、その上半部分を断面で示した側面図である。
【図９】同固定用スリーブを、その上半部分を断面で示した拡大側面図である。
【符号の説明】
【００１８】
Ｃ                                  継手部材
Ｃ−１                              内周面
Ｐ                                  パイプ
Ｐ−１                              外周面
１０                                固定用スリーブ
１０−２                            継手部材・パイプ固定用スリーブ
１０−３                            固定用スリーブ
１０−４                            固定用スリーブ
１２                                外周面
１２−２                            外周面
１４                                内周面
１４−２                            内周面
１４−３                            内周面
１６                                圧入部分
１６−２                            圧入部分
１８                                環状係合部
１８−２                            環状係合部
２０                                外側環状係合凸部
２０−２                            外側環状係合凸部
２０−３                            外側環状係合凸部
２２                                小径部分
２４                                大径部分
２６                                傾斜部分
３０                                内側環状凸部
３４                                先端部分
３４−２                            先端
３６                                テーパー部分
４０                                湾曲凹部
【図１】
2005090668.tif 000003
【図２】
2005090668.tif 000004
【図３】
2005090668.tif 000005
【図４】
2005090668.tif 000006
【図５】
2005090668.tif 000007
【図６】
2005090668.tif 000008
【図７】
2005090668.tif 000009
【図８】
2005090668.tif 000010
【図９】
2005090668.tif 000011